(57)【要約】【課題】針飛びを防ぐためにピックアップアームがストレート状のレコードプレーヤ装置をレコード盤を再生演奏する際に、レコード盤本体に形成されたみぞ部を構成する二つの斜面に互いに対応付けられてそれぞれ配設された記録データが互いに対応して揃ってピックアップされるレコード盤を提供する。【解決手段】レコード盤１において、レコード盤本体２に断面形状が略Ｖ字状のみぞ部３が備えられ、みぞ部３を形成する外周側斜面５及び中心側斜面６にそれぞれ、互いに対応する記録データ１０及び１１をピックアップアーム８の先端に付設したカートリッジ手段９の描く円弧奇跡の接線方向に対応付けて配設し構成した。【選択図】  図１
2004303391.tif 000002
【特許請求の範囲】
【請求項１】
レコード盤本体の片面若しくは両面に、断面形状がレコード盤本体の軸線方向に略Ｖ字状であって、且つ、円盤の外周側から中心側へと径を縮めながら連続して形成されたみぞ部が備えられ、
更に、そのみぞ部を形成するレコード盤本体の外周側斜面及び中心側斜面にはそれぞれ、レコード盤本体がレコードプレーヤ装置に載置され回転させられると、レコードプレーヤ装置のピックアップアームの先端側に備えられたカートリッジ手段と相対的に摺動することによって出力する記録データが互いに対応して配設されており、
加えて、それら外周側斜面及び中心側斜面に配設されているそれぞれの記録データは、レコードプレーヤ装置の演奏によって連続的にピックアップされる際にカートリッジ手段は演奏に伴ってピックアップアームのレコードプレーヤ装置本体の枢支軸を中心に描く円弧に追従するが、斯かる追従による円弧の接線方向に互いに対応するように位置合わせして配設されてなるレコード盤。
【請求項２】
みぞ部を形成する外周側斜面に配設の記録データ及び中心側斜面に配設の記録データは、音声信号出力の速さを制御する制御手段を備えたＣＤプレーヤ装置に回転制御のための信号を生成するデータである請求項１に記載のレコード盤。
【発明の詳細な説明】
【０００１】
【発明が属する技術分野】
この発明は、断面が略Ｖ字状で連続する音みぞが機械的に形成され、レコードプレーヤ装置のターンテーブルに載置され回転されてカートリッジ手段が前記音みぞに摺動するとステレオ音声を得ることを可能にするデータが刻まれてなるレコード盤に関する。
特に、レコードプレーヤ装置のカートリッジを保持のトーンアームが直線状である場合に、カートリッジが摺動してデータ再生する際の音みぞのどの部位においてもレコード盤本体の中心側斜面の記録データとこれと対向する外周側斜面の記録が互いに対応して得ることが可能なレコード盤の改良に関する。
【０００２】
【従来の技術】
断面が略Ｖ字状である音みぞが、レコード盤本体の外周側から中心側に向かって連続的に径を小さくする伸開曲線状の逆方向に機械的に形成され、且つ、ステレオ的にデータを得るように前記音みぞを形成する外周側斜面と中心側斜面にそれぞれ摺動再生式の記録データが刻まれて形成されたレコード盤は、従来、音みぞの中心側斜面の機械的音声データと外周側斜面の機械的音声データはステレオ的にデータを得るように互いに対応するデータは半径方向上に揃って位置するように配設されていた。
【０００３】
【発明が解決しようとする課題】
ステレオ的にデータを得る構成のレコード盤は、円周部側に位置する音みぞと中心側に位置する音みぞでトラッキングが生じないことが望まれる。
斯かる事項に対し、カートリッジ手段を保持するトーンアームがＳ字状に湾曲されたいわゆるＳ字アームを備えたレコードプレーヤ装置を用いて演奏する場合は、音みぞがレコード盤の円周部側に位置しても中心部側に位置してもカートリッジ手段は水平方向のトラッキングの影響を受けることが少なく望ましい。
【０００４】
しかし、例えばレコード盤をレコードプレーヤ装置で再生しながら操作者がレコードプレーヤ装置のターンテーブル若しくはレコード盤の回転を手で直接に操作して特別の音楽的な効果を得るいわゆるスクラッチパーフォーマンス演奏を行なう場合、或いは、特定部位の音みぞに戻って再演奏を行なうキューイング演奏を行なう際には、正回転から逆回転へ或いは逆回転から正回転へ移行の際にカートリッジ手段に横方向の力（インサイドフォース及びアウトサイドフォース）が生じ、結果的には針飛びが発生して所望通りの演奏が得られないという問題がある。
斯かる横方向の力を除去するために、ピックアップアームはストレート状であることが望ましいことが知られている（アンチ・スキッピング・トーンアーム・システム）。
【０００５】
従って、スクラッチパーフォーマンス演奏やキューイング演奏を行なう際に針飛びを防止するには、ピックアップアームがストレート状であるストレートアームのレコードプレーヤ装置で演奏する方がＳ字アームのレコードプレーヤで演奏するより望ましいということになる。
【０００６】
しかしながら、ストレート状アームのレコードプレーヤ装置を用いて従来のレコード盤を演奏する場合、レコード盤に確実にピックアップがアームの枢支軸を中心に円弧を描くことになる。
ピックアップがアームの枢支軸を中心に円弧を描く構成のレコードプレーヤ装置でレコード盤を演奏すると、ステレオ用に半径方向に互いに対応付けられた音みぞの外周側斜面に形成された記録データ及び中心側斜面に形成された記録データは対応して揃ってピックアップされず、ピックアップ部位がレコード本体の外周側に位置する場合には音みぞの中心側斜面のデータは外周側斜面のデータに比して早くピックアップされ、他方、ピックアップ部位がレコード本体の中心側に位置する場合には音みぞの中心側斜面のデータは外周側斜面のデータに比して遅くピックアップされるという問題が生じる。
【０００７】
他方、スクラッチパーフォーマンス演奏では、今日の音楽ソフトの殆どはレコード盤ではなくコンパクトディスク（以下、「ＣＤ」と称する。）に記録されているので、音声信号出力の速さを制御する制御手段の備えたＣＤプレーヤ装置とレコードプレーヤ装置を備え、且つ、音みぞに前記ＣＤプレーヤ装置の音声出力を制御するための信号を生成するデータが形成されたレコード盤を前記レコードプレーヤ装置でスクラッチパーフォーマンス演奏することによって、所望のＣＤの音楽ソフトをスクラッチパーフォーマンス演奏する構成になっている。
【０００８】
斯かる構成のスクラッチパーフォーマンス演奏に使用されるレコード盤では、音みぞを形成するレコード盤本体の中心側斜面及び外周側斜面に、共働してＣＤプレーヤ装置の回転制御のための制御信号を生成する記録データ、例えば互いに９０度の位相差を持って正弦波信号データがそれぞれ配設されている。
斯かる構成で互いに対応する両斜面の記録データが半径方向に位置付けられて配設されてなるレコード盤を、ストレート状アームのレコードプレーヤ装置で演奏すると、針の位置によっては中心側斜面の記録データと外周側斜面の記録データは位置ズレしてピックアップされることになる。
【０００９】
つまり、例えば中心側斜面の記録データ及び外周側斜面の記録データが共に正弦波信号で且つ互いに９０度の位相差で配設されている場合に、その位相差が９０度より大きくなったり小さくなってピックアップされ、生成される制御信号が所定のものとならず、結果的にＣＤプレーヤ装置の制御が所望通りに得られず音楽ソフトとしてＣＤを使ったスクラッチパーフォーマンス演奏が演奏者の意図通りに行なえないという問題が生じる。
【００１０】
尚、演奏の際に半径方向に互いに対応付けられた音みぞの外周側斜面に形成の記録データ及び中心側斜面に形成の記録データが対応して揃ってピックアップさせる方法として、レコード演奏に従ってピックアップアームの支持部がピックアップ部位と共に同じ方向に同じ速さだけスライドさせることが考えられる。
しかしながら、斯かる構成では、スクラッチパーフォーマンス演奏でレコード盤を逆回転させて演奏する際は、ピックアップアームの支持部を逆方向に且つレコード盤の逆回転に対応する速さでスライドさせる必要があり、ピックアップアームの支持部のスライド機構の構成とスライド動作の制御が極めて煩雑になつて実用化が難しいという問題が生じる。
【００１１】
この発明は上記の事情に鑑みてなされたもので、レコード盤の演奏において針飛びを避けるためにストレート状アームのレコードプレーヤ装置を用いて音みぞの両斜面にデータ記録されたレコード盤を演奏する際に、その両斜面に配設された互いに対応する記録データがピックアップされる際に互いに対応してピックアップされるレコード盤を提供するものである。
【００１２】
【課題を解決するための手段】
この発明は、ピックアップアームのレコードプレーヤ装置本体の枢支軸を中心に描く円弧に追従するが、斯かる追従に対応させて、中心側斜面に配設の記録データと外周側斜面に配設の記録データが互いに対応するように位置合わせして配設されてなるレコード盤である。
【００１３】
その詳細な構成は、レコード盤本体の片面若しくは両面に、断面形状がレコード盤本体の軸線方向に略Ｖ字状であって、且つ、円盤の外周側から中心側へと径を縮めながら連続して形成されたみぞ部が備えられ、更に、そのみぞ部を形成するレコード盤本体の外周側斜面及び中心側斜面にはそれぞれ、レコード盤本体がレコードプレーヤ装置に載置され回転させられると、レコードプレーヤ装置のピックアップアームの先端側に備えられたカートリッジ手段と相対的に摺動することによって出力する記録データが互いに対応して配設されており、加えて、それら外周側斜面及び中心側斜面に配設されているそれぞれの記録データは、レコードプレーヤ装置の演奏によって連続的にピックアップされる際にカートリッジ手段は演奏に伴ってピックアップアームのレコードプレーヤ装置本体の枢支軸を中心に描く円弧に追従するが、斯かる追従による円弧の接線方向に互いに対応するように位置合わせして配設されてなるレコード盤である。
【００１４】
つまり、この発明は、ストレート状アームのレコードプレーヤ装置に載置し演奏すると、ピックアップアームがストレート状であることによって針飛びは生じ難い。
又、演奏中のピックアップアームはその枢支軸を中心に円弧を描き音みぞの中心側斜面及び外周側斜面に摺動して記録データをピックアップする部位はレコード盤の半径方向とは異なり上記の円弧上に位置するが、その円弧上に合わせて中心側斜面に配設の記録データ及び外周側斜面に配設の記録データを対応付けて位置ずれさせているので、両データは互いに対応付けられて揃って連続的にピックアップされることになる。
尚、みぞ部を形成する外周側斜面に配設の記録データ及び中心側斜面に配設の記録データは、具体的なものとして、音声信号出力の速さを制御する制御手段を備えたＣＤプレーヤ装置に回転制御のための信号を生成するデータである場合が挙げられる。
【００１５】
【発明の実施の形態】
以下、図面に基づきこの発明の実施の形態例を説明する。しかし、この実施の形態例によって、この発明が限定されるものではない。
【００１６】
レコード盤１は、図１〜図６に示すように、レコード盤本体２の両面にみぞ部３が形成されている。
【００１７】
レコード盤本体２は、図２に示すように、円盤形状であって、中心にレコードプレーヤ装置に載置して演奏する際の位置決めのための通孔４が設けられている。
尚、レコード盤本体２は、直径が１２インチであって、いわゆるＬＰレコードのサイズである。
【００１８】
レコード盤本体２の両面に形成されているみぞ部３は、断面形状がレコード盤本体２の軸線方向に略Ｖ字状であって、且つ、レコード盤本体２の外周側から中心側へと径を縮めながら伸開曲線状の逆方向に連続して形成されている。
【００１９】
みぞ部３は、図１及び図３に示すように、それを形成するレコード盤本体２の外周側斜面５及び中心側斜面６にそれぞれ、レコード盤本体２がレコードプレーヤ装置７に載置され回転させられると、レコードプレーヤ装置７のピックアップアーム８の先端に備えられたカートリッジ手段９と相対的に摺動することによって再生されピックアップされる記録データ１０，１１が互いに対応して配設されている。
【００２０】
それら外周側斜面５及び中心側斜面６に配設されている記録データ１０，１１は、レコードプレーヤ装置７の演奏によって連続的にピックアップされる際にカートリッジ手段９は演奏に伴ってピックアップアーム８のレコードプレーヤ装置７の本体に枢支される枢支軸１２を中心に描く円弧に追従するが、斯かる追従に対応させて、中心側斜面６に配設の記録データ１１と外周側斜面５に配設の記録データ１０が互いに対応するように位置合わせして配設されて構成されている。
つまり、記録データ１０，１１は、レコードプレーヤ装置７の演奏に伴って連続的に移動するカートリッジ手段９の枢支軸１２を中心に描く円弧の円弧の接線方向に互いに対応するように位置合わせして配設されている。
【００２１】
つまり、レコード盤１は、レコード盤本体２の外周側におけるみぞ部３では、図１のＡに示すように、外周側斜面５に配置の記録データ１０は中心側斜面６に配置の対応する記録データ１１に比して後方に位置して配設されている。
又、レコード盤本体２のほぼ中央部におけるみぞ部３では、図１のＢに示すように、外周側斜面５に配置の記録データ１０と中心側斜面６に配置の対応する記録データ１１はレコード盤本体２のほぼ半径方向に並んで位置して配設されている。
更に、レコード盤本体２の中心側におけるみぞ部３では、図１のＣに示すように、外周側斜面５に配置の記録データ１０は中心側斜面６に配置の対応する記録データ１１に比して前方に位置して配設されている。
【００２２】
尚、ここで言う「外周側斜面５に配置の記録データ１０は中心側斜面６に配置の対応する記録データ１１」とは、カートリッジ手段９がレコード盤１から記録データをピックアップする際に一緒に揃ってピックアップされる記録データ同士を意味する。
【００２３】
又、みぞ部３の記録データ１０，１１は、共働してＣＤプレーヤ装置１３の音声信号出力の速さを制御する制御手段１４に制御のための信号を生成する互いに９０度の位相ズレされた正弦波信号データである。
みぞ部３の記録データ１０，１１が互いに９０度の位相ズレで配設されていることによる機能は、後述する。
【００２４】
この発明は、上述したように構成されている。以下において、この発明のレコード盤１を用いて、制御手段１４を備えたＣＤプレーヤ装置１３でＣＤソフトを演奏する際にスクラッチ演奏する場合の使用を、詳述する。
【００２５】
レコードプレーヤ装置７は、装置本体１５の上部にレコード盤１を載置して回転するためのターンテーブル１６が配設され、レコード盤１と相対的に摺動してレコード盤１からの記録データを生成するためのカートリッジ手段９を保持するピックアップアーム８が枢支されている。
尚、ピックアップアーム８は、横方向の力を受けて針飛びが発生するということが生じ難いように、アンチ・スキッピング・トーンアーム・システムの原理に基づいてストレート状に構成されている。
又、レコードプレーヤ装置７は、ターンテーブル１６の側部に、操作者がターンテーブル１６の回転を手で直接に操作してスクラッチパーフォーマンス演奏するための操作者の指を掛けるルレット１７が配設されている。
【００２６】
レコードプレーヤ装置７は、ピックアップアーム８を枢支する枢支軸１２からカートリッジ手段９のピックアップ針１８までの距離が、ピックアップアーム８を枢支する枢支軸１２からターンテーブル１６の中心に配設されてレコード盤１の通孔４を挿通する軸体１９までの距離よりも短く構成されている。
【００２７】
従って、レコードプレーヤ装置７では、カートリッジ手段９のピックアップ針１８はターンテーブル１６の所定の位置に載置させたレコード盤１に対して図４に示すような奇跡を描くことになる。
従って、カートリッジ手段９がレコード盤１の外周側に位置する時は、軸体１９とその位置に於けるピックアップ針１８を結ぶ方向、つまりその位置における半径方向に対して、ピックアップ針１８が外周側斜面５から中心側斜面６に配置の記録データ１１よりも後方に配置された記録データ１０をピックアップすることになる。
【００２８】
又、カートリッジ手段９がレコード盤１のほぼ中央側に位置する時は、軸体１９とその位置に於けるピックアップ針１８を結ぶ方向、つまりその位置における半径方向に対して、ピックアップ針１８が外周側斜面５と中心側斜面６をほぼそのほぼ半径方向で並んだ記録データ１０及び１１をピックアップすることになる。
更に、カートリッジ手段９がレコード盤１の中心側に位置する時は、軸体１９とその位置に於けるピックアップ針１８を結ぶ方向、つまりその位置における半径方向に対して、ピックアップ針１８が外周側斜面５から中心側斜面６に配置の記録データ１１よりも前方に配置された記録データ１０をピックアップすることになる。
【００２９】
加えて、レコードプレーヤ装置７は、レコード盤１からみぞ部３の外周側斜面５及び中心側斜面６にそれぞれ配設され互いに９０度の位相差を有してピックアップされる正弦波の記録データ１０及び１１をＣＤプレーヤ装置１３に送る信号出力端２０が設けられている。
【００３０】
他方、ＣＤプレーヤ装置７は、レコードプレーヤ装置７の信号出力端２０からの信号をラインケーブル２１を介して受けると、その信号に基づいてピックアップ手段２２のピックアップに基づいて再生されたアナログ音声信号出力である演奏について、その演奏の方向、演奏の速さ及び移動量を制御する制御手段１４が設けられている。
【００３１】
つまり、詳細には図６に示すように、ＣＤプレーヤ装置１３は、ピックアップ手段２２によってＣＤ２３からピックアップされたデータ信号はＲＦアンプ２４及びデコーダ２５で所定の加工がなされて、制御手段１４のＤＳＰ２６のメモリ（図示省略）に保存される。
他方、レコードプレーヤ装置７から記録データ１０及び１１に基づく信号がラインケーブル２１を介してＣＤプレーヤ装置１３に入力されると、制御手段１４の方向検出部２７で記録データ１０と記録データ１１の位相差に基づいてレコード盤１の回転方向が正方向か逆方向かの判断が為され、演奏方向を示す信号が生成されてＤＳＰ２６に送られる。
【００３２】
更に、記録データ１０及び１１に基づく信号が移動量検出部２８に入力されると、それらの信号のパルス数がカウントされて移動量を示す信号が生成されてＤＳＰ２６に送られる。
続いて、記録データ１０及び１１に基づく信号が速さ検出部２９に入力されると、それらの信号のパルス数のカウント結果が微分されて速さを示す信号が生成されＤＳＰ２６に送られる。
【００３３】
ここで、ＤＳＰ２６は、方向検出部２７、移動量検出部２８及び速さ検出部２９からの信号に基づき、ＤＳＰ２６内蔵の前記メモリに保存されているピックアップ手段２２からのデータ信号（音声データ信号）をＤ−Ａ変換器３０に出力する際にその出力を制御する構成が得られている。
【００３４】
ここで、レコード盤１をレコードプレーヤ装置７に載置すると共にＣＤプレーヤ装置１３にＣＤ２３をセットし、更に、レコードプレーヤ装置７とＣＤプレーヤ装置１３をラインケーブル２１で接続する。
続いて、レコードプレーヤ装置７及びＣＤプレーヤ装置１３を出力させる。
【００３５】
レコード盤１は、ターンテーブル１６に載置し回転されると、みぞ部３を形成している外周側斜面５及び中心側斜面６は共にカートリッジ手段９のピックアップ針１８と相対的に摺動して再生され、外周側斜面５からは記録データ１０が中心側斜面６からは記録データ１１がそれぞれピックアップされる。
この記録データ１０，１１がピックアップされる際つまりレコード盤１をレコードプレーヤ装置７で演奏する際、演奏始めではピックアップ針１８がレコード盤１の外周側に位置し、その際にピックアップ針１８が外周側斜面５から中心側斜面６よりも後方に配置された記録データをピックアップすることになるが、レコード盤１は図３のＡに示すように外周側斜面５に配置の記録データ１０が中心側斜面６に配置の対応する記録データ１１に比して後方に位置して配設されているから、ピックアップ針１８は記録データ１０と記録データ１１を対応付けられた揃ったデータ同士としてピックアップすることになる。
【００３６】
レコードプレーヤ装置７によるレコード盤１の演奏が進み、ピックアップ針１８がレコード盤本体２のほぼ中央部に位置すると、その際にピックアップ針１８が外周側斜面５及び中心側斜面６からそれぞれに配置された記録データをレコード盤１のほぼ半径方向で並んでピックアップすることになるが、レコード盤１は図３のＢに示すように外周側斜面５に配置の記録データ１０と中心側斜面６に配置の対応する記録データ１１はレコード盤本体２のほぼ半径方向に並んで位置して配設されているから、ピックアップ針１８は記録データ１０と記録データ１１を対応付けられて揃った状態でピックアップすることになる。
【００３７】
レコードプレーヤ装置７によるレコード盤１の演奏が更に進み、ピックアップ針１８がレコード盤本体２のほぼ中央部に位置すると、その際にピックアップ針１８が外周側斜面５から中心側斜面６よりも前方に配置された記録データをピックアップすることになるが、レコード盤１は図３のＣに示すように外周側斜面５に配置の記録データ１０は中心側斜面６に配置の対応する記録データ１１に比して前方に位置して配設されているから、ピックアップ針１８は記録データ１０と記録データ１１を対応付けられた揃った状態でピックアップすることになる。
【００３８】
従って、レコード盤１は、ピックアップアーム８がストレート状であるレコードプレーヤ装置７によってみぞ部３の記録データ１０と記録データ１１が連続的に互いに９０度の位相差を持ってピックアップされるから、二つの記録データが半径方向に対応して配設されたレコード盤をピックアップアームがＳ字状のレコードプレーヤ装置で演奏するのと同様な信号のピックアップが可能であり、みぞ部３の記録データ１０と記録データ１１が互いに所定の位相差を持ってピックアップされず結果的スクラッチ演奏者の意図通りに制御手段１７が記録データ１０と記録データ１１を受け取らずスクラッチ演奏者の意図とは異なるＤ−Ａ変換器３０からの音声データ信号の出力を行うということはない。
【００３９】
更に、レコード盤１はピックアップアーム８がストレート状であるレコードプレーヤ装置７によってピックアップされるから、針飛びが生じ難いという効果も得られている。
【００４０】
ここで、レコードプレーヤ装置７はピックアップ針１８のレコード盤１に対する演奏位置によらず位相が９０度だけ異なる二つの信号をＣＤプレーヤ装置１３に送るから、ＣＤプレーヤ装置１３は前記二つの信号を受けると制御手段１４がスクラッチ演奏者の意図通りにＤＳＰ２６の前記メモリに保存の音声データ信号をＤ−Ａ変換器３０から出力するように制御する。
よって、Ｄ−Ａ変換器３０からの音声データ信号は、スクラッチ演奏者の意図通りの音声となってスピーカから出力される。
【００４１】
レコード盤１は、みぞ部３の外周側斜面５に配置の記録データ１０及び中心側斜面６に配置の記録データ１１はＣＤプレーヤ装置からの音声をスクラッチ演奏とさせるための制御用信号に構成されているが、ピックアップ針１８との摺動によって音声を再生してピックアップされる構成であってもよい。
【００４２】
レコード盤１はみぞ部３において、外周側では外周側斜面５に配置の記録データ１０がこれと対応する中心側斜面６に配置の記録データ１１より後方に配設され、且つ、ほぼ中央では外周側斜面５に配置の記録データ１０とこれと対応する中心側斜面６に配置の記録データ１１は半径方向にほぼ並んだ位置で配設され、更には、中心側では外周側斜面５に配置の記録データ１０がこれと対応する中心側斜面６に配置の記録データ１１より前方に配設されているが、どれだけ後方或いは前方に位置させるべきかは、ピックアップアーム８の円弧の奇跡のその点における接線方向であればよく、前記円弧奇跡を決定する枢支軸１２からピックアップ針１８までの長さ及び枢支軸から軸体までの長さ、更には、設計上の適合性に基づき、適宜選択すべきである。
【００４３】
【発明の効果】
この発明は、レコード盤本体の少なくとも片面にデータ記録のための断面形状が略Ｖ字状のみぞ部が備えられ、その略Ｖ字状を形成する円周側斜面と中心側斜面に互いに対応する記録データがそれぞれ配設されたレコード盤において、前記互いに対応する記録データをカートリッジ手段の描く円弧奇跡の接線方向に並んで配設して構成したことにより、ピックアップアームがストレート状であっても前記円周側斜面と中心側斜面本体にそれぞれ互いに対応付けて配設された記録データは共に対応付けられてピックアップされ、演奏の進行と共にカートリッジ手段のレコード盤本体の円周側から中心側に位置を移動することによってピックアップされる二つの記録データが不揃いでピックアップされるということがなく、又、レコードプレーヤ装置のピックアップアームがストレート状であることにより針飛びが生じ難いという効果が得られている。
【図面の簡単な説明】
【図１】本発明の実施の形態例のレコード盤の外周側斜面及び中心側斜面にそれぞれ配設された記録データの位置を示す部分斜視図である。
【図２】図１に示す形態例の全体を示す平面図である。
【図３】図１に示す形態例から記録データがピックアップされることを説明する要部説明構成図である。
【図４】図１に示す形態例をレコードプレーヤ装置に載置して演奏する際に、本形態例に対してピックアップ手段が取り位置の軌跡を説明する構成説明図である。
【図５】レコードプレーヤ装置に図１に示す形態例を載置して演奏させ、ＣＤプレーヤ装置の音声出力の制御を行う際の構成を示す全体斜視図である。
【図６】図５に示す演奏に係る主要信号の関係を示すブロック図である。
【符号の説明】
１          レコード盤
２          レコード盤本体
３          みぞ部
５          外周側斜面
６          中心側斜面
７          レコードプレーヤ装置
８          ピックアップアーム
９          カートリッジ手段
１０，１１  記録データ
１２        枢支軸
１３        ＣＤプレーヤ装置
１４        制御手段
１８        ピックアップ針
２０        信号出力部
２２        ピックアップ手段
２６        ＤＳＰ
２７        方向検出部
２８        移動量検出部
２９        速さ検出部
【図１】
2004303391.tif 000003
【図２】
2004303391.tif 000004
【図３】
2004303391.tif 000005
【図４】
2004303391.tif 000006
【図５】
2004303391.tif 000007
【図６】
2004303391.tif 000008